(57)【特許請求の範囲】
【請求項１】
ダイヤルアップ通信を行う通信ユニット及びスピーカーが搭載された他のユニットを含むダイヤルアップ通信装置であって、
ダイヤルアップ通信において送受信される信号を示す情報を取得する信号取得部と、
取得された前記送受信される信号を示す情報の通知を受け付け、前記信号に応じて出力される音声の情報を、前記信号を示す情報に基づいて取得する音声情報取得部と、
取得した前記音声の情報に基づいて音声出力の制御を行う音声出力制御部と、を含み、
前記信号を示す情報は、ダイヤルアップ通信において送受信されるアナログ信号の周波数であることを特徴とするダイヤルアップ通信装置。
【請求項２】
前記信号を示す情報と音声の情報とが関連付けて記憶された音声情報記憶部を含み、
前記音声情報取得部は、通知を受け付けた前記信号を示す情報に関連付けられた音声を示す情報を前記音声情報記憶部から取得することを特徴とする請求項１に記載のダイヤルアップ通信装置。
【請求項３】
前記音声情報取得部は、通知を受け付けた前記周波数に応じた波形データを生成することにより、前記信号に応じて出力される音声の情報を取得することを特徴とする請求項１に記載のダイヤルアップ通信装置。
【請求項４】
ダイヤルアップ通信を行う通信ユニット及びスピーカーが搭載された他のユニットを含むダイヤルアップ通信装置の制御方法であって、
ダイヤルアップ通信において送受信される信号を示す情報を取得し、
取得された前記送受信される信号を示す情報の通知を受け付け、前記信号に応じて出力される音声の情報を、前記信号を示す情報に基づいて取得し、
取得した前記音声の情報に基づいて音声出力の制御を行い、
前記信号を示す情報は、ダイヤルアップ通信において送受信されるアナログ信号の周波数であることを特徴とするダイヤルアップ通信装置の制御方法。
【請求項５】
ダイヤルアップ通信を行う通信ユニット及びスピーカーが搭載された他のユニットを含むダイヤルアップ通信装置の制御プログラムであって、
ダイヤルアップ通信において送受信される信号を示す情報を取得するステップと、
取得された前記送受信される信号を示す情報の通知を受け付け、前記信号に応じて出力される音声の情報を、前記信号を示す情報に基づいて取得するステップと、
取得した前記音声の情報に基づいて音声出力の制御を行うステップと、を情報処理装置に実行させ、
前記信号を示す情報は、ダイヤルアップ通信において送受信されるアナログ信号の周波数であることを特徴とするダイヤルアップ通信装置の制御プログラム。
【発明の詳細な説明】
【技術分野】
【０００１】
本発明は、ダイヤルアップ通信装置、ダイヤルアップ通信装置の制御方法及びダイヤルアップ通信装置の制御プログラムに関する。
【背景技術】
【０００２】
ＦＡＸまたはＦＡＸが搭載された画像処理機器においては、ＦＡＸの送受信が行われていることがユーザに認識可能なように、回線音を出力するスピーカーが搭載されていることが一般的である。このスピーカーは、ＦＡＸの送受信に係るプロトコルに応じて発生する信号に応じた音を出力するため、ＦＡＸの送受信を行うユニットに装着されている。
【０００３】
他方、スキャナ、プリンタ、ＦＡＸ等の複数種類の機能を有する複合機においては、ユーザが装置を操作するための操作パネルに搭載されたスピーカーから操作音や警告音を出力することによりユーザの利便性を高めることが行われる。その結果、複合機において２つのスピーカーが搭載されることとなる。
【０００４】
そのため、２つのスピーカーを統合し、例えば音声の出力部を操作パネル上に搭載されたスピーカーに統合することが望まれる。この場合、ＦＡＸの送受信を行うユニットにおいて発生した信号に応じた音声を何らかの手段により操作パネルに伝達し、操作パネル側で音声を出力する必要がある。
【０００５】
他方、音声出力において音声データの符号化、識別子による識別、識別された符号化データの復号を行うことが提案されている（例えば、特許文献１参照）。
【発明の概要】
【発明が解決しようとする課題】
【０００６】
特許文献１に開示されたような技術により、上述したように２つのスピーカーを統合して操作パネル上に搭載されたスピーカーから音声出力を行うことは不可能ではない。しかしながら、その場合、ＦＡＸの送受信を行うユニット側で音声信号を符号化して操作パネル側に伝達し、操作パネル側で復号して音声出力を行うこととなる。その結果、ＦＡＸユニット側で音声信号が発生してから操作パネル側で音声が出力されるまでにタイムラグが発生する。タイムラグを低減するためには専用の伝送路等を設ける必要があるが、その場合、２つのスピーカーを統合して構成の簡略化を図るメリットが薄れてしまう。
【０００７】
尚、このような課題はＦＡＸに限らず、ダイヤルアップ通信を行う機器において、通信信号に応じた音声を出力する場合であって、ダイヤルアップ通信用のユニットにスピーカーを搭載しない場合には同様に課題となり得る。
【０００８】
本発明は上記実情に鑑みてなされたものであり、ダイヤルアップ通信ユニットとは異なるユニットに搭載されたスピーカーからダイヤルアップ通信に係る信号に応じた音声を出力する場合に、音声出力の遅延を解消し且つ構成の簡略化を図ることを目的とする。
【課題を解決するための手段】
【０００９】
上記課題を解決するために、本発明の一態様は、ダイヤルアップ通信を行う通信ユニット及びスピーカーが搭載された他のユニットを含むダイヤルアップ通信装置であって、ダイヤルアップ通信において送受信される信号を示す情報を取得する信号取得部と、取得された前記送受信される信号を示す情報の通知を受け付け、前記信号に応じて出力される音声の情報を、前記信号を示す情報に基づいて取得する音声情報取得部と、取得した前記音声の情報に基づいて音声出力の制御を行う音声出力制御部と、を含み、前記信号を示す情報は、ダイヤルアップ通信において送受信されるアナログ信号の周波数であることを特徴とする。
【発明の効果】
【００１０】
本発明によれば、ダイヤルアップ通信ユニットとは異なるユニットに搭載されたスピーカーからダイヤルアップ通信に係る信号に応じた音声を出力する場合に、音声出力の遅延を解消し且つ構成の簡略化を図ることができる。
【図面の簡単な説明】
【００１１】
【図１】本発明の実施形態に係る複合機の全体構成を示すブロック図である。
【図２】本発明の実施形態に係る複合機を構成する各ユニットのハードウェア構成を示すブロック図である。
【図３】本発明の実施形態に係るダイヤルアップ通信におけるプロトコルにおいてやり取りされる信号の態様を示す図である。
【図４】本発明の実施形態に係る音声情報記憶部に記憶される情報の例を示す図である。
【図５】本発明の実施形態に係る複合機の動作を示すシーケンス図である。
【図６】本発明の実施形態に係る複合機の動作を示すシーケンス図である。
【図７】本発明の実施形態に係る複合機の動作を示すシーケンス図である。
【図８】本発明の実施形態に係る複合機の全体構成の他の例を示すブロック図である。
【発明を実施するための形態】
【００１２】
以下、図面を参照して、本発明の実施形態を詳細に説明する。本実施形態においては、ダイヤルアップ通信装置の例としてＦＡＸユニットを搭載した複合機を例として説明する。そのような複合機において、従来ＦＡＸユニットに搭載されていたスピーカーを省略し、複合機に含まれる他のユニットに搭載されたスピーカーからダイヤルアップ通信に係る音声を出力することが本実施形態に係る特徴の１つである。図１は、本実施形態に係る画像形成システムの全体構成を示す図である。
【００１３】
図１に示すように、本実施形態に係る複合機は、装置全体を制御する全体制御ユニット１、ＦＡＸ機能を担うＦＡＸユニット２、ユーザが装置を操作するための操作部ユニット３を含む。全体制御ユニット１においては、コントローラ１００がＦＡＸユニット２や操作部ユニット３との間で情報をやり取りして装置全体の動作を制御する。
【００１４】
ＦＡＸユニット２は、ＦＡＸコントローラ２００、モデム２０１、回線制御デバイス２０２を含む。ＦＡＸコントローラ２００は全体制御ユニット１のコントローラ１００との間で情報をやり取りしながらＦＡＸユニット２の動作を制御する制御部である。モデム２０１は、ＦＡＸの送受信に係る信号の変調及び復調を行う。回線制御デバイス２０２は、ＦＡＸ通信に係る受信データのＡ／Ｄ変換、送信データのＤ／Ａ変換を行い、電話回線を介してＦＡＸ通信に係る相手側の機器との通信を行う。
【００１５】
従来、回線制御デバイス２０２に接続されたスピーカーから、ＦＡＸ通信において発生してアナログ信号に応じた音声が出力されていた。これにより、ユーザはＦＡＸの通信が行われていることを認識することが可能であった。本実施形態に係る複合機においては、ＦＡＸユニット２からスピーカーを省略することにより構成の簡略化を図り、ＦＡＸ通信に係る音声出力を操作部ユニット３に搭載されたスピーカーから行う。
【００１６】
本実施形態に係る操作部ユニット３は、操作部コントローラ３００、音声情報記憶部３０１、スピーカードライバ３０２、スピーカーＩ／Ｏ３０３、スピーカー３０４、ＬＣＤ３０５及びタッチパネル３０６を含む。操作部コントローラ３００は全体制御ユニット１のコントローラ１００との間で情報をやり取りしながら操作部ユニット３の動作を制御する制御部である。
【００１７】
音声情報記憶部３０１は、回線制御デバイス２０２においてＦＡＸ通信に応じて発生するアナログ信号に応じた音声情報を、識別子と共に記憶している記憶部である。スピーカードライバ３０２は、操作部コントローラ３００の制御に従って音声出力を行うための処理を実行する。スピーカーＩ／Ｏ３０３は、操作部ユニット３においてスピーカー３０４を接続するためのインタフェースであり、スピーカードライバ３０２によって出力される信号をスピーカー３０４に入力する。
【００１８】
ＬＣＤ３０５は、ユーザに対して情報を表示するための表示部である。タッチパネル３０６は、ユーザがタッチ操作によって情報を入力するための操作部である。一般的に、ＬＣＤ３０５とタッチパネル３０６とは一体に構成される。
【００１９】
次に、本実施形態に係る複合機のハードウェア構成について図２を参照して説明する。図２は、図１に示す全体制御ユニット１、ＦＡＸユニット２、操作部ユニット３夫々を構成するためのハードウェア構成を示す図である。
【００２０】
図２に示すように、本実施形態に係る複合機の構成要素である全体制御ユニット１、ＦＡＸユニット２、操作部ユニット３は、一般的なＰＣ（Ｐｅｒｓｏｎａｌ  Ｃｏｍｐｕｔｅｒ）やサーバ等の情報処理装置と同様の構成を有する。即ち、本実施形態に係る複合機の構成要素である各ユニットは、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス７０を介して接続されている。また、Ｉ／Ｆ５０には専用デバイス６０が接続されている。
【００２１】
ＣＰＵ１０は演算手段であり、各ユニット全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納されている。尚、ＨＤＤ４０ではなくＳＳＤやＮＶ−ＲＡＭ等の不揮発性記憶媒体を用いても良い。
【００２２】
Ｉ／Ｆ５０は、バス７０と各種のハードウェアやネットワーク等を接続し制御する。専用デバイス６０は、Ｉ／Ｆ５０を介してバス７０に接続されるハードウェアであり、ＦＡＸユニット２の場合にはモデム２０１や回線制御デバイス２０２、操作部ユニット３の場合にはスピーカー３０４、ＬＣＤ３０５、タッチパネル３０６等である。
【００２３】
このようなハードウェア構成において、ＲＯＭ３０に格納されているプログラムや、ＨＤＤ４０若しくは図示しない光学ディスク等の記録媒体からＲＡＭ２０に読み出されたプログラムに従ってＣＰＵ１０が演算を行うことにより、ソフトウェア制御部が構成される。図１においては、コントローラ１００、ＦＡＸコントローラ２００、操作部コントローラ３００がソフトウェア制御部である。このようにして構成されたソフトウェア制御部と、ハードウェアとの組み合わせによって、本実施形態に係る全体制御ユニット１、ＦＡＸユニット２、操作部ユニット３の機能を実現する機能ブロックが構成される。
【００２４】
このように、本実施形態に係る複合機においては、ＦＡＸユニット２にスピーカーが搭載されていない。そして、ＦＡＸ通信に係る信号に応じた音声が操作部ユニット３に搭載されているスピーカー３０４から出力される。その際、従来の装置構成に対して大きな変更を加えることなく、且つＦＡＸユニット２側で発生した信号に応じた音声を遅滞なく操作部ユニット３側で出力することが本実施形態に係る特徴の１つである。
【００２５】
ここで、ＦＡＸ通信のプロトコルにおいて発生する音声について図３を参照して説明する。図３は、ダイヤルアップ信号の送信側Ｔｘと受信側Ｒｘとが夫々発信するアナログ信号の例を時系列に示す図である。“ＣＮＧ”は、自動発信していることを受信側へ知らせる信号である。“ＣＥＤ”は、受信状態になったことを送信側へ知らせる信号である。
【００２６】
“ＮＳＦ”は、受信時に送信側へ自機の機能を知らせる信号である。“ＣＳＩ”は、受信時に送信側へ知らせる自機の識別番号である。“ＤＩＳ”は、受信時に送信側へ自機の機能を知らせる信号である。“ＮＳＳ”は、送信時に受信側へどの様な送信条件なのかを通知する信号である。“Ｔｒａｉｎｉｎｇ”は、受信側のモデムにトレーニングの準備をさせる信号である。“ＴＣＦ”は、モデムトレーニングチェック用の信号である。
【００２７】
“ＣＦＲ”は、モデムトレーニングが成功したことを送信側へ知らせる応答信号である。“Ｒｅ−ｔｒａｉｎｉｎｇ”は、受信側のモデムに実際のデータ送信の準備をさせる信号である。“データ”は、ＦＡＸ通信において送受信される実際の画像データである。“ＥＯＰ”は、最終ページ画像情報の送信が終了したことを受信側へ知らせる信号である。
【００２８】
“ＭＣＦ”は、画像情報とめせーご命令が正しく受信されたことを送信側へ知らせる応答信号である。“ＤＣＮ”は、回線をＦＡＸからＴＥＬに切り替える事を知らせる信号である。このような一連の信号により、ＦＡＸ通信が行われる。
【００２９】
“ＣＮＧ”、“ＣＳＤ”等の夫々の信号は、所定の周波数によって表現された信号である。従来は、夫々の周波数信号が、回線制御デバイス２０２に接続されたスピーカーから音声として出力されていた。これに対して、本実施形態に係る複合機においては、図３に示すように発生した夫々の信号を示す識別子が操作部ユニット３に通知され、音声情報記憶部３０１に記憶されている音声情報が識別子に応じて読み出されて音声出力が行われる。これにより、ＦＡＸユニット２においてＦＡＸ通信に係る信号が発生した後、遅滞なく操作部ユニット３のスピーカー３０４から音声が出力される。
【００３０】
図４は、音声情報記憶部３０１に記憶されている情報を示す図である。図４に示すように、音声情報記憶部３０１は、“プロトコル識別子”、“周波数”、“音声ファイル”を関連付けて記憶している。“プロトコル識別子”は、「ＣＮＧ」、「ＣＥＤ」等、図３において説明した夫々の信号を示す識別子である。“周波数”は夫々の信号の周波数である。“音声ファイル”は、夫々の信号の周波数に応じて出力される音声の情報である。
【００３１】
次に、本実施形態に係る複合機の動作について、図５を参照して説明する。ＦＡＸの送信または受信によりＦＡＸ通信が実行されると、まずは図５に示すように、回線制御デバイス２０２において発生した信号を、ＦＡＸコントローラ２００がモデム２０１を介して認識する（Ｓ５０１）。ＦＡＸコントローラ２００は、Ｓ５０１において認識した信号を示す識別子をコントローラ１００に転送する（Ｓ５０２）。
【００３２】
ＦＡＸコントローラ２００から識別子の転送を受けたコントローラ１００は、操作部コントローラ３００に対して識別子を転送する（Ｓ５０３）。これにより、ＦＡＸユニット２側で発生したＦＡＸ通信に係る信号が、操作部ユニット３側に通知される。このように、図５の例においては、ＦＡＸコントローラ２００、コントローラ１００及び操作部コントローラ３００が連動して信号取得部として機能する。
【００３３】
コントローラ１００から識別子の転送を受けた操作部コントローラ３００は、通知された識別子に基づいて音声情報記憶部３０１を参照し、識別子に関連付けられた音声ファイルを読み出す（Ｓ５０４）。Ｓ５０４において、操作部コントローラ３００が音声情報取得部として機能する。音声情報記憶部３０１に記憶されている音声ファイルは符号化されているため、操作部コントローラ３００は、読み出した音声ファイルを復号する（Ｓ５０５）。
【００３４】
音声ファイルを復号すると、操作部コントローラ３００は、スピーカードライバ３０２を制御してスピーカー３０４に音声を出力させる（Ｓ５０６）。Ｓ５０５，Ｓ５０６において、操作部コントローラ３００が音声出力制御部として機能する。このような処理により、本実施形態に係る複合機の動作が完了する。
【００３５】
Ｓ５０２及びＳ５０３において転送される識別子は、例えば数ビットの情報であるため、転送に要する時間はごくわずかである。また、音声ファイルは短い音声のデータであり、その読出しや復号に要する時間もごくわずかである。従って、Ｓ５０１から５０６まで、ほとんどタイムラグを生ずることなく処理を完了することが可能である。
【００３６】
図５においては、音声情報記憶部３０１に符号化された音声ファイルが記憶されている場合を例として説明した。しかしながら、上述したように音声ファイルは短い音声のデータであるため、符号化により容量を圧縮する必要性は低い従って、音声ファイルとして符号化されていない生データを音声情報記憶部３０１に記憶させても良い。その場合、Ｓ５０５の処理を省略可能である。
【００３７】
また、図５においては、ＦＡＸコントローラ２００が信号を認識した上でその信号の識別子を転送する場合を例として説明した。ここで信号の認識は回線制御デバイス２０２において発生したアナログ信号の周波数に基づいて行われる。従って、信号は周波数によっても識別可能であり、ＦＡＸコントローラ２００は信号の識別子に替えて周波数を示す情報を転送しても良い。この場合、操作部コントローラ３００は、通知された周波数に基づいて、図４に示すように周波数に関連付けられた音声ファイルを読み出す。
【００３８】
また、ＦＡＸ通信によって出力される音声は、上述したように通信によってやり取りされるアナログ信号の周波数に応じた音声である。即ち、信号の周波数が判明すれば、音声ファイルがなくとも周波数に応じた波形を生成することにより音声データを生成することが可能である。そのような例について図６を参照して説明する。
【００３９】
図６に示すように、回線制御デバイス２０２において発生した信号の周波数を、ＦＡＸコントローラ２００がモデム２０１を介して認識する（Ｓ６０１）。ＦＡＸコントローラ２００は、Ｓ５０１において認識した周波数を示す情報をコントローラ１００に転送する（Ｓ６０２）。
【００４０】
ＦＡＸコントローラ２００から識別子の転送を受けたコントローラ１００は、操作部コントローラ３００に対して識別子を転送する（Ｓ６０３）。これにより、ＦＡＸユニット２側で発生したＦＡＸ通信に係る信号の周波数が、操作部ユニット３側に通知される。
【００４１】
コントローラ１００から周波数の転送を受けた操作部コントローラ３００は、通知された周波数に基づいて音声データを生成する（Ｓ６０４）。Ｓ６０４の処理は、通知された周波数の波形データを音声データとして生成する処理であり、ごく一般的な処理である。音声データを生成すると、操作部コントローラ３００は、スピーカードライバ３０２を制御してスピーカー３０４に音声を出力させる（Ｓ６０５）。このような処理により、本実施形態に係る複合機の動作が完了する。
【００４２】
図６に示す態様によれば、操作部ユニット３において音声ファイルを予め格納しておく必要がなく、装置の構成を更に簡略化することが可能である。また、符号化された音声データの復号や、音声ファイルの読み出しも不要であるため、ＦＡＸコントローラ２００においてＦＡＸ通信が発生してから音声出力までのタイムラグを更に解消することが可能である。
【００４３】
尚、図６においては、ＦＡＸコントローラ２００が周波数を転送する場合を例として説明した。しかしながら、図４において説明したように、信号の識別子と周波数とは音声情報記憶部３０１において関連付けられている。従って、信号の識別子が操作部コントローラ３００に通知された場合であっても、それに基づいて音声情報記憶部３０１を参照することにより信号の周波数を認識し、図６のＳ６０４以降の処理を実行することも可能である。
【００４４】
また、上記実施形態においては、ＦＡＸコントローラ２００が信号を認識した上でコントローラ１００に通知することにより操作部コントローラ３００に対して情報が通知される場合を例として説明した。しかしながら、ＦＡＸコントローラ２００はコントローラ１００の制御によって動作しており、装置制御の構成によっては、コントローラ１００がＦＡＸコントローラ２００の動作状況を常にモニタリングしている場合もある。
【００４５】
そのような場合、ＦＡＸコントローラ２００からコントローラ１００に対しての情報の通知は不要であり、コントローラ１００によるモニタリングに応じて処理を実行することが出来る。そのような例について図７に示す。図７に示すように、ＦＡＸコントローラ２００の動作を常にモニタリングしているコントローラ１００は、ＦＡＸユニット２側で発生したＦＡＸ通信に応じて信号を認識する（Ｓ７０１）。そして、認識した信号の識別子を操作部コントローラ３００に対して転送する（Ｓ７０２）。
【００４６】
Ｓ７０２により信号の識別子の転送を受けた操作部コントローラ３００は、図５のＳ５０４〜Ｓ５０６と同様に処理を実行する（Ｓ７０３〜７０５）。これにより、図５と同様の効果を得ることが可能である。尚、図６において説明したように、コントローラ１００が信号の識別子ではなく周波数を認識して操作部コントローラ３００に通知する態様も可能である。
【００４７】
また、上記実施形態においては、コントローラ１００がＦＡＸコントローラ２００と操作部コントローラ３００との間で情報を仲介する場合を例として説明した。これに対して、ＦＡＸユニット２と操作部ユニット３との間に直接情報をやり取りするパスがあれば、コントローラ１００による仲介は不要である。そのような例について図８に示す。
【００４８】
図８の例においては、図１の構成に加えて、ＦＡＸユニット２が専用通信部２０３を含み、操作部ユニット３が専用通信部３０７を含む。そして、ＦＡＸユニット２と操作部ユニット３とは、専用通信部２０３及び専用通信部３０７を介して直接情報をやり取りすることが出来る。
【００４９】
この構成により、図５や図６の態様において、コントローラ１００を介することなくＦＡＸコントローラ２００から操作部コントローラ３００に対して直接情報を送信することが可能となる。この場合、ＦＡＸコントローラ２００及び操作部コントローラ３００が、専用通信部２０３及び専用通信部３０７を介して連動することにより信号取得部として機能する。その結果、音声が出力されるまでのタイムラグを更に短縮することが出来る。尚、専用通信部２０３及び専用通信部３０７は、有線通信用の通信インタフェースでも良いし無線通信用の通信インタフェースでも良い。
【００５０】
以上説明したように、本実施形態によれば、ダイヤルアップ通信ユニットとは異なるユニットに搭載されたスピーカーからダイヤルアップ通信に係る信号に応じた音声を出力する場合に、音声出力の遅延を解消し且つ構成の簡略化を図ることができる。
【符号の説明】
【００５１】
１  全体制御ユニット
２  ＦＡＸユニット
３  操作部ユニット
１０  ＣＰＵ
２０  ＲＡＭ
３０  ＲＯＭ
４０  ＨＤＤ
５０  Ｉ／Ｆ
６０  ＬＣＤ
７０  操作部
８０  専用デバイス
９０  バス
１００  コントローラ
２００  ＦＡＸコントローラ
２０１  モデム
２０２  回線制御デバイス
２０３  専用通信部
３００  操作部コントローラ
３０１  音声情報記憶部
３０２  スピーカードライバ
３０３  スピーカーＩ／Ｏ
３０４  スピーカー
３０５  ＬＣＤ
３０６  タッチパネル
３０７  専用通信部
【先行技術文献】
【特許文献】
【００５２】
【特許文献１】特開２０１４−１５５１１３号広報
【図１】
0006601112.tif 000002
【図２】
0006601112.tif 000003
【図３】
0006601112.tif 000004
【図４】
0006601112.tif 000005
【図５】
0006601112.tif 000006
【図６】
0006601112.tif 000007
【図７】
0006601112.tif 000008
【図８】
0006601112.tif 000009